(57)【要約】【課題】  複数の撮影機能について使用する機能パターンを同一の１操作で切換え可能な撮像装置を提供する。【解決手段】  ユーザーは、ユーザー設定パターンＦを使って撮影したい場合にはＵキー２０を押してＵキー２０をＵキー使用位置Ｐ２に移動させた状態でレリーズボタン１６を押下し、初期設定の機能パターンで撮影したい場合には、Ｕキー２０をＵキー不使用位置Ｐ１に配置したままでレリーズボタン１６を押下する。ステップＳ３０でレリーズボタン１６が押下されるまで待機し、ステップＳ３２でＵキー２０がＵキー使用位置Ｐ２に位置しているかどうかを判断する。判断が否定された場合には、ステップＳ３４で初期設定の機能パターンで撮影を行う。判断が肯定された場合には、ステップＳ３６でユーザー設定パターンＦを読出し、ステップＳ３８で、ユーザー設定パターンＦの機能パターンで撮影を行う。【選択図】  図７
2005130229.tif 000002
【特許請求の範囲】
【請求項１】
複数の撮影機能の各々について設定された複数の機能パターンの中から少なくとも１つの撮影機能について１つの機能パターンを選択する選択手段と、
選択された機能パターンを撮影パターンとして記憶する記憶手段と、
記憶された撮影パターンによって撮影するか否かを１操作で切換え可能な切換え手段と、
を備えた撮像装置。
【請求項２】
前記記憶手段は、前記撮影パターンを複数種記憶し、
前記切換え手段は、前記複数種の撮影パターンの中の１つの撮影パターンによって撮影するか否かを１操作で切換え可能とされていること、を特徴とする請求項１に記載の撮像装置。
【請求項３】
前記撮影パターンを表示可能な表示手段、をさらに備えたことを特徴とする請求項１または請求項２に記載の撮像装置。
【発明の詳細な説明】
【技術分野】
【０００１】
本発明は、撮像装置に係り、特に撮影の際に用いる撮影機能を複数備えた撮像装置に関する。
【背景技術】
【０００２】
通常、カメラやビデオカメラなどの撮像装置には、撮影者が選択可能な複数の撮影機能、例えば、ストロボ、マクロ撮影、連写撮影などの機能が装備されている。これらの撮影機能についての設定は、複雑な手順で行われなければならないのが一般的である。
【０００３】
そこで、特許文献１では、撮影機能の設定を簡単にするために、予め所定の撮影機能の機能パターン登録を可能とし、登録された撮影機能を読出して当該登録された撮影機能で撮影する技術が開示されている。しかしながら、特許文献１に記載の技術でも、所定の登録済み撮影機能を使用しない状態から登録済み撮影機能を使用する状態にカメラを設定するためには、複数の手順により行う必要があり、設定に時間が掛ってしまう。
【０００４】
また、ストロボのオン・オフを切換えるボタンや、ディスプレイへの画像の表示の有無を切換える操作ボタンを備えた撮像装置はあるが、１つの機能に対して１つのボタンが対応しており、１ボタンに複数の機能を対応させることは行われていなかった。
【特許文献１】特開平７−３０６４６３７号公報
【発明の開示】
【発明が解決しようとする課題】
【０００５】
本発明は上記事実を考慮し、複数の撮影機能について使用する機能パターンを同一の１操作で切換え可能な撮像装置を提供することを目的とする。
【課題を解決するための手段】
【０００６】
上記課題を解決するため、本発明の撮像装置は、複数の撮影機能の各々について設定された複数の機能パターンの中から少なくとも１つの撮影機能について１つの機能パターンを選択する選択手段と、選択された機能パターンを撮影パターンとして記憶する記憶手段と、記憶された撮影パターンによって撮影するか否かを１操作で切換え可能な切換え手段と、を含んで構成されている。
【０００７】
ここで、撮影機能とは、ストロボ、撮影時の撮影対象画像のディスプレイへの表示、連写撮影、マクロ撮影、音声入力、ビープ音などの機能をいい、機能パターンとは、各々の撮影機能について設けられている選択肢、例えば、ストロボ機能では、ストロボのオン／オフ、ディスプレイへの表示では、表示する／しない、連写撮影では、高速連写／低速連写／連写しない、などのパターンをいう。本発明の撮像装置では、複数の撮影機能の各々について複数の機能パターンが設定されている。そして、選択手段により、少なくとも１つの撮影機能について１つの機能パターンが選択される。選択された機能パターンは、撮影パターンとして記憶手段により記憶される。前述の例を用いると、例えば、３つの撮影機能の各々について１つの機能パターンが選択され、ストロボ機能−オフ、ディスプレイへの表示−オン、連写撮影−低速連写、が撮影パターンとして記憶されることになる。切換え手段では、記憶された撮影パターンによって撮影するか否かを１操作で切換えることができる。したがって、複数の撮影機能を１つの切換え手段を用いて１操作で切換えることができ、利便性が向上する。
【０００８】
なお、本発明の撮像装置は、請求項２に記載のように、前記記憶手段は、前記撮影パターンを複数種記憶し、前記切換え手段は、前記複数種の撮影パターンの中の１つの撮影パターンによって撮影するか否かを１操作で切換え可能とされていること、を特徴とすることもできる。
【０００９】
上記構成では、撮影パターンが複数種記憶されている。前述の例を用いると、例えば、ストロボ機能−オフ、ディスプレイへの表示−オン、連写撮影−低速連写が第１の撮影パターンとして記憶され、ストロボ機能−オフ、ディスプレイへの表示−オン、連写撮影−高速連写が第２の撮影パターン群として記憶されている。そして、切換え手段では、複数種の撮影パターンの中の１つの撮影パターンによって撮影するか否かを１操作で切換えることができる。前述の例では、第１の撮影パターンで撮影するか、第２の撮影パターンで撮影するか、いずれの撮影パターンも用いないで撮影するかを１操作で切換えることができる。したがって、複数の撮影パターンの中から所望のものに１操作で切換えることができ、利便性が向上する。
【００１０】
また、本発明の撮像装置は、請求項３に記載のように、前記撮影パターンを表示可能な表示手段、をさらに備えたことを特徴とすることもできる。
【００１１】
上記構成によれば、ユーザーが表示手段に表示された撮影パターンを確認することができ、利便性が向上する。
【発明の効果】
【００１２】
本発明の撮像装置は上記構成としたので、複数の撮影機能の使用する機能パターンを同一の１操作で切換えることができる。
【発明を実施するための最良の形態】
【００１３】
以下、図面を参照して、本発明の実施形態について詳細に説明する。
【００１４】
図１（Ａ）に示すように、デジタルカメラ１０は、筐体１２及び撮影用のレンズ１４を備える。筐体１２の前面にはレンズ窓１２Ａが形成されており、レンズ１４がレンズ窓１２Ａから筐体１２の外側に突出可能とされている。図１（Ｂ）にも示すように、筐体１２の上面には、レリーズボタン１６が備えられ、筐体１２の背面には液晶ディスプレイ（以下「ＬＣＤ」という）１８、操作入力キー１９、Ｕキー（ユーティリティーキー）２０、及び、電源ボタン２１が備えられている。レリーズボタン１６は後述するＣＰＵ４０と接続されており、後述するシャッタ２４の駆動タイミングをＣＰＵ４０へ入力可能とされている。操作入力キー１９は、ユーザーにより各種指示が入力されるものであり、ＣＰＵ４０と接続されている。電源ボタン２１は電源のオン・オフが入力されるボタンである。
【００１５】
Ｕキー２０は、図２に示すように、最も外側に位置する押圧部２０Ａ、押圧部２０Ａと連続された中間部２０Ｂ、及び、最も奥側に位置するストッパー２０Ｃで構成されている。筐体１２には、Ｕキー２０に対応する位置に凹部１２Ｂが形成されており、Ｕキー２０は、図２（Ｂ）に示すように、押圧により筐体１２と略同一面となる位置まで沈み込むＵキー使用位置Ｐ２と、図２（Ａ）に示すように、押圧解除によりバネ２０Ｄで付勢されて筐体１２から突出されるＵキー不使用位置Ｐ１との間を移動可能とされている。Ｕキー２０もＣＰＵ４０と接続されており、Ｕキー不使用位置Ｐ１とＵキー使用位置Ｐ２のいずれに位置しているかの情報がＣＰＵ４０へ伝達可能とされている。Ｕキー２０がＵキー不使用位置Ｐ１に配置されている時には、デジタルカメラ１０での撮影は初期設定の撮影機能で行われ、Ｕキー２０がＵキー使用位置Ｐ２に配置されている時には、デジタルカメラ１０での撮影はユーザーが後述の手順により設定した機能パターン（以下、設定された機能パターンを「ユーザー設定パターンＦ」という）の撮影機能で行われる。
【００１６】
図３に示すように、デジタルカメラ１０には、レンズ１４を通過する光量を調整する絞り２２、光の通過時間を調整するシャッタ２４、及び、光を光電変換してアナログ画像信号を出力するＣＣＤ２６が備えられている。
【００１７】
ＣＣＤ２６はアナログ信号処理部２８と接続され、アナログ信号処理部２８はアナログ／デジタル変換器（以下、「Ａ／Ｄ変換器」という）３０と接続され、Ａ／Ｄ変換器３０はデジタル信号処理部３２と接続されている。アナログ信号処理部２８は、ＣＣＤ２６から入力された信号に対して所定のアナログ信号処理を施す。Ａ／Ｄ変換器３０は、アナログ信号処理部２８から入力されたアナログ信号をデジタル信号に変換してデジタル信号処理部３２へ出力する。デジタル信号処理部３２は、入力されたデジタル信号に対して各種の処理を行い、デジタル画像データを生成する。
【００１８】
また、デジタルカメラ１０には、ＣＰＵ４０、内部メモリ４２、表示制御部４４、及び記録制御部４６が備えられている。前述のデジタル信号処理部３２、ＣＰＵ４０、内部メモリ４２、表示制御部４４、及び記録制御部４６は、バス４８を介して相互に接続されている。
【００１９】
ＣＰＵ４０は各種のプログラムを実行するなどしてデジタルカメラ１０全体の制御を行う。内部メモリ４２にはデジタル信号処理部３２で生成されたデジタル画像データを一時的に記憶可能とされている。また、内部メモリ４２には、撮影機能パターンテーブルＴが記憶されている。撮影機能パターンテーブルＴは、図４に示すように、ストロボ、連写撮影、接写撮影、ＬＣＤ表示、音声入力、ビープ音の各撮影機能について、撮影機能毎に複数の機能パターンが記憶されている。すなわち、ストロボについてはＯＮ／ＯＦＦの２種類の機能パターン、連写撮影については、高速／低速／ＯＦＦの３種類の機能パターン、接写撮影については、ＯＮ／ＯＦＦの２種類の機能パターン、ＬＣＤ表示については、ＯＮ／ＯＦＦの２種類の機能パターン、音声入力については、ＯＮ／ＯＦＦの２種類の機能パターン、ビープ音については、音量大／音量小／ＯＦＦの３種類の機能パターンが記憶されている。記録制御部４６は外部メモリ５０と接続されており、外部メモリ５０へデジタル画像データを書き込む処理、及び、外部メモリ５０からデジタル画像データを読出す処理を実行可能とされている。表示制御部４４はＬＣＤ１８と接続されており、内部メモリ４２に記憶されたデジタル画像データや撮影機能パターンテーブルＴなどを読み出し、ＬＣＤ１８へ画像等の表示するのための処理を行う。
【００２０】
さらに、デジタルカメラ１０には、レンズ１４を駆動させるためのレンズ駆動部５２、絞り１４を駆動させるための絞り駆動部５４、シャッタ２４を駆動させるためのシャッタ駆動部５６、及び、ＣＣＤ１８に対する撮影時のタイミング制御を行うＣＣＤ制御部５８が備えられている。レンズ駆動部５２、絞り駆動部５４、シャッタ駆動部５６、及び、ＣＣＤ制御部５８は、ＣＰＵ４０と接続されている。
【００２１】
次に、本実施形態の作用について説明する。
【００２２】
ユーザーがユーザー設定パターンＦを設定するには、まず、電源ボタン２１から電源オンを入力する。これにより、デジタルカメラ１０の電源がオンされる。そして、操作入力キー１９を操作して、ＬＣＤ１８に図５（Ａ）に示すユーザー設定パターン設定モードを表示させる。ユーザー設定パターン設定モードでは、設定変更可能な撮影機能の一覧表示Ｓ１、各撮影機能について現在設定されている機能パターン群Ｓ２が表示される。ユーザーにより最初の設定が行われる前の機能パターン群Ｓ２として図５（Ａ）に示す内容の機能パターンが予め設定されている（初期設定の機能パターン）。ユーザーは、操作入力キー１９を操作して、各撮影機能について所望の機能パターンを選択する。また、ユーザーは、Ｕキー２０の使用と連動させたい撮影機能の先頭に連動マークＭを付す。そして、ユーザーが操作入力キー１９から選択完了の指示を入力すると、ＣＰＵ４０では図６に示す登録処理が行われる。
【００２３】
ステップＳ１０で、ストロボについて連動マークＭが付されているかどうかを判断し、連動マークＭが付されている場合には、ステップＳ１１で、ストロボについて選択されている機能パターンをストロボ機能に対応させて内部メモリ４２にユーザー設定パターンＦの１部として記憶する。連動マークＭが付されていない場合には、ステップＳ１２へ進む。ステップＳ１２で、連写撮影について連動マークＭが付されているかどうかを判断し、連動マークＭが付されている場合には、ステップＳ１３で、連写撮影について選択されている機能パターンを連写撮影機能に対応させて内部メモリ４２にユーザー設定パターンＦの１部として記憶する。連動マークＭが付されていない場合には、ステップＳ１４へ進む。ステップＳ１４で、接写撮影機能について連動マークＭが付されているかどうかを判断し、連動マークＭが付されている場合には、ステップＳ１５で、接写撮影について選択されている機能パターンを接写撮影に対応させて内部メモリ４２にユーザー設定パターンＦの１部として記憶する。連動マークＭが付されていない場合には、ステップＳ１６へ進む。ステップＳ１６で、ＬＣＤ表示について連動マークＭが付されているかどうかを判断し、連動マークＭが付されている場合には、ステップＳ１７で、ＬＣＤ表示について選択されている機能パターンをＬＣＤ表示機能に対応させて内部メモリ４２にユーザー設定パターンＦの１部として記憶する。連動マークＭが付されていない場合には、ステップＳ１８へ進む。ステップＳ１８で、音声入力について連動マークＭが付されているかどうかを判断し、連動マークＭが付されている場合には、ステップＳ１９で、音声入力について選択されている機能パターンを音声入力機能に対応させて内部メモリ４２にユーザー設定パターンＦの１部として記憶する。連動マークＭが付されていない場合には、ステップＳ２０へ進む。ステップＳ２０で、ビープ音について連動マークＭが付されているかどうかを判断し、連動マークＭが付されている場合には、ステップＳ２１で、ビープ音について選択されている機能パターンをビープ音機能に対応させて内部メモリ４２にユーザー設定パターンＦの１部として記憶して本処理を終了する。連動マークＭが付されていない場合には、そのまま本処理を終了する。
【００２４】
本処理によれば、連動マークＭが付されている撮影機能の機能パターンがユーザー設定パターンＦとして内部メモリ４２に記憶される。図５（Ｂ）に示す例では、ストロボ及び接写撮影について連動マークＭを付されており、ストロボ及び接写撮影の機能パターンＯＮがユーザー設定パターンＦとして記憶される。
【００２５】
ユーザーがデジタルカメラ１０で撮影を行う際には、操作入力キー１９を操作して、デジタルカメラ１０を撮影モードにする。これにより、ＣＰＵ４０からレンズ駆動部５２へレンズ駆動の指示がなされ、レンズ１４が筐体１２の外側へ突出される。また、ＣＰＵ４０からＣＣＤ制御部５８へＣＣＤ制御の指示がなされ、ＣＣＤ２６は所定のタイミングで被写体からの光を受け取って光電変換し、光電変換して得られるアナログ信号をアナログ信号処理部２８へ出力する。アナログ信号処理部２８では雑音除去などの所定の処理が行われ、処理後の信号がＡ／Ｄ変換器３０へ出力される。Ａ／Ｄ変換器３０で、アナログ信号はデジタル信号に変換され、デジタル信号がデジタル信号処理部３２へ出力される。デジタル信号処理部３２では入力されたデジタル信号に所定の処理が加えられ、デジタル画像データが生成される。このデジタル画像データが内部メモリ４２に一時記憶されると共に、表示制御部４４へ出力され、表示制御部４４により所定の処理が行われて、デジタル画像データに基づく画像がＬＣＤ１８に所定のフレームレートでリアルタイムに表示される。このときユーザーは、操作入力キー１９を操作して、設定したユーザー設定パターンＦをＬＣＤ１８に表示させることができる。
【００２６】
ＣＰＵ４０では、図７に示す撮影処理が行われる。ステップＳ３０で、レリーズボタン１６が押下されるまで待機する。ユーザーは、ユーザー設定パターンＦを使って撮影したい場合には、予めＵキー２０を押してＵキー２０をＵキー使用位置Ｐ２に移動させておき、この状態でレリーズボタン１６を押下する。初期設定の機能パターンで撮影したい場合には、Ｕキー２０を押さずＵキー２０をＵキー不使用位置Ｐ１に配置したままでレリーズボタン１６を押下する。
【００２７】
ステップＳ３２で、Ｕキー２０が押下されているかどうか、すなわちＵキー２０がＵキー使用位置Ｐ２に位置しているかどうかを判断する。判断が否定された場合、すなわち、Ｕキー２０が押下されていない場合（Ｕキー２０がＵキー不使用位置Ｐ１に位置している場合）には、ステップＳ３４で初期設定の機能パターンで撮影を行って本処理を終了する。Ｕキー２０が押下されている場合（Ｕキー２０がＵキー使用位置Ｐ２に位置している場合）には、ステップＳ３６で内部メモリ４２に記録されているユーザー設定パターンＦを読出し、ステップＳ３８で、ユーザー設定パターンＦの機能パターンで撮影を行って本処理を終了する。
【００２８】
本実施形態によれば、Ｕキー２０をＵキー使用位置Ｐ２に位置させることによりユーザー設定パターンＦで撮影することができ、Ｕキー２０をＵキー不使用位置Ｐ１へ位置させることにより初期設定の機能パターンで撮影することができる。すなわち、押圧という簡単な１操作で、ユーザー設定パターンＦと初期設定機能パターンとを切換えることができる。
【００２９】
また、本実施形態によれば、１つのＵキー２０に対して、複数の撮影機能の機能パターンを設定することができ、１操作で複数の撮影機能についての機能パターンを変更することができる。
【００３０】
なお、本実施形態では、ユーザー設定パターンＦとして１つのみを内部メモリ４２に記憶させて、Ｕキー２０の押下に連動させた例について説明したが、ユーザー設定パターンＦとして複数記憶しておき、複数のユーザー設定パターンを１操作で切換え可能とすることもできる。この場合には、図８に示すように、第１ユーザー設定パターンＦ１と第２好みパターンＦ２を、ユーザーの操作により内部メモリ４２に記憶しておく。そして、押圧により移動するＵキー２０に代えて、図９に示すようなスライド式のスライドキー７０を設ける。スライドキー７０は、溝７２に沿って、Ｑ０、Ｑ１、Ｑ２の３つの三角印の各々の頂点とスライドキー７０に設けられた三角印の頂点とが一致する位置（各々と一致する位置を「初期設定位置Ｑ０」、「第１ユーザー設定位置Ｑ１」、「第２ユーザー設定位置Ｑ２」という）との間を移動可能とされている。ユーザーは、第１ユーザー設定パターンＦ１を使って撮影したい場合にはスライドキー７０を第１ユーザー設定位置Ｑ１に移動させた状態でレリーズボタン１６を押下し、第２ユーザー設定パターンＦ２を使って撮影したい場合にはスライドキー７０を第２ユーザー設定位置Ｑ２に移動させた状態でレリーズボタン１６を押下する。そして、初期設定の機能パターンで撮影したい場合には、スライドキー７０を初期設定位置Ｑ０に位置させた状態でレリーズボタン１６を押下することにより、所望の機能パターンを用いて撮影を行うことができる。
【図面の簡単な説明】
【００３１】
【図１】（Ａ）は本実施形態のデジタルカメラの前面図であり、（Ｂ）は本実施形態のデジタルカメラの背面図である。
【図２】図１のＡ−Ａの断面図の、（Ａ）はＵキー不使用位置に配置されたＵキーを示し、（Ｂ）はＵキー使用位置に配置されたＵキーを示す図である。
【図３】本実施形態のデジタルカメラの概略ブロック図である。
【図４】本実施形態の撮影機能パターンテーブルである。
【図５】ユーザー設定パターン設定モードが表示されているＬＣＤの図である。
【図６】本実施形態の登録処理のフローチャートである。
【図７】本実施形態の撮影処理のフローチャートである。
【図８】（Ａ）は第１ユーザー設定パターンの設定表示であり、（Ｂ）は第２ユーザー設定パターンの設定表示である。
【図９】本実施形態の変形例としてデジタルカメラの背面を示す図である。
【符号の説明】
【００３２】
１０  デジタルカメラ
１８  ＬＣＤ（表示手段）
１９  操作入力キー
２０  Ｕキー（切換え手段）
４０  ＣＰＵ（選択手段）
４２  内部メモリ（記憶手段）
７０  スライドキー
Ｆ    ユーザー設定パターン（撮影パターン）
Ｆ１  第１ユーザー設定パターン（撮影パターン）
Ｆ２  第２ユーザー設定パターン（撮影パターン）
Ｍ    連動マーク
Ｐ１  Ｕキー不使用位置
Ｐ２  Ｕキー使用位置
Ｑ０  初期設定位置
Ｑ１  第１ユーザー設定位置
Ｑ２  第２ユーザー設定位置
Ｔ    撮影機能パターンテーブル
【図１】
2005130229.tif 000003
【図２】
2005130229.tif 000004
【図３】
2005130229.tif 000005
【図４】
2005130229.tif 000006
【図５】
2005130229.tif 000007
【図６】
2005130229.tif 000008
【図７】
2005130229.tif 000009
【図８】
2005130229.tif 000010
【図９】
2005130229.tif 000011